(57)【要約】【課題】本発明はエレメントが金属板を打ち抜いて形成されたアンテナ装置に関し、安価に製造できるコネクタ装置、及び、その製造方法を提供することを目的とする。【解決手段】本発明は、アンテナ装置であって、金属板から構成されたエレメント部材と、金属板から構成されたグランド部材と、エレメント部材及びグランド部材に一体に形成された接続部を有することを特徴とする。【選択図】図１
2008079140.tif 000002
【特許請求の範囲】
【請求項１】
アンテナ装置において、
金属板から構成されたエレメント部材と、
金属板から構成されたグランド部材と、
前記エレメント部材及び前記グランド部材に一体に形成された接続部を有することを特徴とするアンテナ装置。
【請求項２】
前記接続部は、前記エレメント部材に一体に形成されており、前記エレメント部材に対して折曲されたエレメント端子部と、
前記グランド部材に一体に形成され、前記グランド部材に対して折曲されたグランド端子部とを有することを特徴とする請求項１記載のアンテナ装置。
【請求項３】
前記接続部は、前記エレメント端子部及び前記グランド端子部とともにコネクタを構成する樹脂部を有することを特徴とする請求項２記載のアンテナ装置。
【請求項４】
前記樹脂部は、前記エレメント部材と前記グランド部材とを固定することを特徴とする請求項３記載のアンテナ装置。
【請求項５】
前記エレメント部材及び前記グランド部材とを樹脂により封止した構成とされており、
前記接続部は、前記エレメント端子部及び前記グランド端子部が前記封止樹脂から外部に表出した構成とされていることを特徴とする請求項２記載のアンテナ装置。
【請求項６】
アンテナ装置において、
金属板から構成されたエレメント部材と、
前記エレメント部材に一体に形成されたエレメント端子部を有することを特徴とするアンテナ装置。
【請求項７】
広帯域、あるいは、超広帯域の電波を送受信可能であることを特徴とする請求項１記載のアンテナ装置。
【請求項８】
エレメント部材と前記エレメント部材に近接して形成されたグランド部材とを有するアンテナ装置の製造方法であって、
金属板から前記エレメント部材及び前記グランド部材、並びに、前記エレメント部材の給電点に接続されたエレメント端子部及び前記グランド部材に接続されたグランド端子部を打ち抜くとともに、前記エレメント端子部及び前記グランド端子部を折曲させ、前記エレメント部材を外部回路に接続するための接続部を形成することを特徴とするアンテナ装置の製造方法。
【請求項９】
更に、前記エレメント端子部及び前記グランド端子部とともに、コネクタを構成する樹脂部を成形する工程を有することを特徴とする請求項８記載のアンテナ装置の製造方法。
【請求項１０】
エレメント部材から構成されたアンテナ装置の製造方法であって、
金属板から前記エレメント部材、及び、前記エレメント部材の給電点に接続されたエレメント端子部を打ち抜くとともに、前記エレメント端子部を折曲させ、前記エレメント部材を外部回路に接続するための接続部を形成することを特徴とするアンテナ装置の製造方法。
【発明の詳細な説明】
【技術分野】
【０００１】
本発明はアンテナ装置に係り、特に、エレメントが金属板を打ち抜いて形成されたアンテナ装置に関する。
【背景技術】
【０００２】
近年、レーダー測位や大伝送容量の通信が可能であることからＵＷＢ（ultra-wide  band）を利用した無線通信技術が注目されている。ＵＷＢは、２００２年に米国ＦＣＣ（federal  communication  commission）により周波数帯域が３．１〜１０．６ＧＨｚでの使用が認可された。
【０００３】
ＵＷＢは、パルス信号を超広帯域で通信を行う通信方式である。このため、ＵＷＢに用いられるアンテナには超広帯域で送受信が可能な構造が求められている。
【０００４】
少なくともＦＣＣで認可された３．１〜１０．６ＧＨｚの周波数帯域での使用を目的としたアンテナとして、平板状の地板上に円錐形状又は涙滴形状の給電体を配置した構成のアンテナが提案されている（非特許文献１）。
【０００５】
しかし、従来のアンテナ装置は平板状の地板上に円錐形状又は涙滴形状の給電体を配置した構成であるので、大型であり、小型化、薄型化が望まれていた。
【０００６】
一方、低周波数帯域の通信におけるループアンテナでは、フレキシブル基板上に導電パターンによりエレメントを形成したアンテナ装置が提案されている（特許文献１参照）。
【非特許文献１】２００３年  電子情報通信学会  B-1-133  FCC認可UWB周波数帯の水平面内無指向性・低VSWRアンテナ、谷口琢也・小林岳彦（東京電機大）（３月22日発表  B201教室）
【特許文献１】特開２０００−１９６３２７号公報
【発明の開示】
【発明が解決しようとする課題】
【０００７】
しかるに、従来のアンテナ装置はフレキシブル基板を用いており、また、外部との接続を行うためにコネクタを実装していたので、部品点数が多く、製造工程が多くなり生産性が悪いとともに、高価となるなどの問題点があった。
【０００８】
本発明は上記の点に鑑みてなされたもので、少ない部品点数で、安価に製造できるコネクタ装置、及び、その製造方法を提供することを目的とする。
【課題を解決するための手段】
【０００９】
本発明は、アンテナ装置であって、金属板から構成されたエレメント部材と、金属板から構成されたグランド部材と、エレメント部材及びグランド部材に一体に形成された接続部を有することを特徴とする。
【００１０】
接続部は、エレメント部材に一体に形成されており、エレメント部材に対して折曲されたエレメント端子部と、グランド部材に一体に形成され、グランド部材に対して折曲されたグランド端子部とを有することを特徴とする。また、接続部は、エレメント端子部及びグランド端子部とともにコネクタを構成する樹脂部を有することを特徴とする。樹脂部は、エレメント部材と前記グランド部材とを固定することを特徴とする。
【００１１】
さらに、エレメント部材及びグランド部材とを樹脂により封止した構成とされており、接続部は、エレメント端子部及びグランド端子部が封止樹脂から外部に表出した構成とされていることを特徴とする。
【００１２】
また、本発明は、アンテナ装置において、金属板から構成されたエレメント部材と、エレメント部材に一体に形成されたエレメント端子部を有することを特徴とする。
【００１３】
さらに、本発明のアンテナ装置は、広帯域、あるいは、超広帯域の電波を送受信可能であることを特徴とする。
【００１４】
また、本発明は、エレメント部材と前記エレメント部材に近接して形成されたグランド部材とを有するアンテナ装置の製造方法であって、金属板からエレメント部材及びグランド部材、並びに、エレメント部材の給電点に接続されたエレメント端子部及びグランド部材に接続されたグランド端子部を打ち抜くとともに、エレメント端子部及びグランド端子部を折曲させ、エレメント部材を外部回路に接続するための接続部を形成することを特徴とする。
【００１５】
更に、エレメント端子部及びグランド端子部とともに、コネクタを構成する樹脂部を成形する工程を有することを特徴とする。
【００１６】
さらに、本発明は、エレメント部材から構成されたアンテナ装置の製造方法であって、金属板からエレメント部材、及び、エレメント部材の給電点に接続されたエレメント端子部を打ち抜くとともに、エレメント端子部を折曲させ、エレメント部材を外部回路に接続するための接続部を形成することを特徴とする。
【発明の効果】
【００１７】
本発明によれば、エレメント部材又は／及びグランド部材にコネクタを実装する必要がなくなるため、部品点数を削減でき、コネクタの実装工程を削減できるため、生産性を向上させることができる。
【発明を実施するための最良の形態】
【００１８】
〔第１実施例〕
図１は本発明の第１実施例の斜視図を示す。
【００１９】
本実施例のアンテナ装置１００は、ＵＷＢアンテナであり、エレメント部材１１１、グランド部材１１２、接続部１１３から構成されている。
【００２０】
エレメント部材１１１は、リン青銅などの金属フープ材を一辺が数ｃｍ程度の略五角形状に打ち抜くことにより形成され、その先端には接続部１１３を構成するエレメント端子部１２１が一体に形成されている。グランド部材１１２は、リン青銅などの金属板を１辺が数ｃｍ程度の略四角形状に打ち抜くことにより形成され、接続部１１３に対向する部分には接続部１１３を構成するグランド端子部１３１が一体に形成されている。エレメント部材１１１の給電点を挟む辺がグランド部材１１２の一辺に対して所定の角度θとなるように形成されている。
【００２１】
接続部１１３は、エレメント端子部１２１、グランド端子部１３１、樹脂部１４１から構成されており、ソケットコネクタを構成している。
【００２２】
エレメント端子部１２１は、エレメント部材１１１の給電点から矢印Ｘ１方向に延出して打ち抜かれ、矢印Ｚ１方向にわずかに折曲された後、再び矢印Ｘ１方向に折曲される。グランド端子部１２２は、グランド部材１１２のエレメント部材１１１に対向する辺の給電点を挟んだ位置に矢印Ｘ２方向に延出して打ち抜かれている。グランド端子部１２２は、矢印Ｚ１方向にわずかに立ち上がった後に再び矢印Ｘ２方向に延長されるように折曲される。
【００２３】
接続部１１３には、プラグコネクタ１０１が装着される。プラグコネクタ１０１には、ケーブル１０２の一端が接続されている。アンテナ装置１００は、ケーブル１０２が接続されたプラグコネクタ１０１がソケットコネクタ１１３に装着されて、ソケットコネクタ１１３、プラグコネクタ１０１、ケーブル１０２を介して外部回路に接続される。なお、ケーブル１０２は、例えば、同軸ケーブルから構成されている。
【００２４】
また、接続部１１３の樹脂部１４１は、エレメント部材１１１とグランド部材１１２とを所定の位置関係で固定する。これによって、エレメント部材１１１とグランド部材１１２とを所定の位置関係で固定するためのケース、樹脂封止などが不要となる。
【００２５】
なお、エレメント端子部１２１とグランド端子部１３１との間隔はインピーダンスが、例えば、５０Ωとなるように設定されている。
【００２６】
次にアンテナ装置１００の製造方法について説明する。
【００２７】
図２はアンテナ装置１００の製造工程のフローチャート、図３はアンテナ装置１００の製造方法を説明するための図を示す。
【００２８】
ステップＳ１−１、Ｓ１−２で、フープ材を金型によって、図３（Ａ）に示すような形状に打ち抜くと、同時に図３（Ｂ）、図３（Ｃ）に示すようにエレメント端子部１２１、グランド端子部１３１を折曲する。
【００２９】
このとき、エレメント部材１１１及びグランド部材１１２は、サン１５１を介してフレーム１５２に接続されている。これによって、エレメント部材１１１とグランド部材１１２とが所定位置関係となるように保持される。
【００３０】
次に、ステップＳ１−３で、全体にメッキを施す。メッキにより防錆効果を有する。
【００３１】
次に、ステップＳ１−４でエレメント端子部１２１及びグランド端子部１３１の周囲を樹脂材によりインサート形成することにより、接続部１１３が形成される。接続部１１３は、プラグコネクタ１０１に係合するソケットコネクタの形状に成型されている。
【００３２】
図４はプラグコネクタ１０１の斜視図を示す。
【００３３】
プラグコネクタ１０１は、信号端子部材１６１、グランド端子部材１６２、樹脂部１６３から構成されている。信号端子部材１６１には、ケーブル１０２の信号線１７１が半田付けされている。また、グランド端子部材１６２には、ケーブル１０２のシールド１７２が半田付けされている。
【００３４】
信号端子部材１６１及びグランド端子部材１６２は、樹脂１６３によりアンテナ装置１００の接続部１１３を構成するエレメント端子部１２１及びグランド端子部１３１に接触するように固定される。また、樹脂部１６３は、接続部の樹脂部１４１に係合する形状に成形されている。
【００３５】
本実施例によれば、エレメント部材１１１に一体に形成されたエレメント端子部１２１、及び、グランド部材１１２に一体に形成されたグランド端子部１３１を折曲し、その周囲を樹脂材で覆い、樹脂材をインサート形成によってコネクタ状に成型することにより、接続部１１３を形成することにより、エレメント部材１１１とグランド部材１１２に一体的にコネクタを形成することができる。このため、コネクタを別部品として実装する必要がなくなる。また、接続部１１３を構成する樹脂材によりエレメント部材１１１とグランド部材１１２を所定の位置関係に固定することができる。
【００３６】
〔第２実施例〕
図５は本発明の第２実施例の斜視図を示す。同図中、図１と同一構成部分には同一符号を付し、その説明は省略する。
【００３７】
本実施例のアンテナ装置２００は、接続部２１１の構成が第１実施例とは相違する。本実施例の接続部２１１は、エレメント端子部２２１、グランド端子部２２２、樹脂部２２３から構成されている。エレメント端子部２２１は、エレメント部材１１１の給電点から矢印Ｘ１方向に延出して打ち抜かれている。エレメント端子部２２１は、矢印Ｚ１方向に折曲される。
【００３８】
グランド端子部２２２は、グランド部材１１２のエレメント部材１１１に対向する辺の給電点を挟む位置に形成されている。グランド端子部２２２は、矢印Ｘ２方向からわずかに延出された後に、矢印Ｙ１方向又は矢印Ｙ２方向に延出するように打ち抜かれている。エレメント端子部２２１は、矢印Ｙ１方向又は矢印Ｙ２方向に延出した部分が矢印Ｚ１方向に折曲される。
【００３９】
樹脂部２２３は、エレメント端子部２２１及びグランド端子部２２２の周囲を囲むように形成されている。樹脂部２１３は、例えば、インサート成形によって形成される。
【００４０】
なお、エレメント端子部２２１とグランド端子部２２２との間隔はインピーダンスが、例えば、５０Ωとなるように設定されている。
【００４１】
図６はアンテナ装置２００の製造方法を説明するための図を示す。
【００４２】
本実施例では、エレメント端子部２２１及びグランド端子部２２２が図６（Ａ）に示すような形状に打ち抜かれ、図６（Ｂ）、（Ｃ）に示すように折曲される。
【００４３】
さらに、エレメント端子部２２１、及び、グランド端子部２２２は、樹脂部２２３により固定されて、ソケットコネクタを構成する。
【００４４】
接続部２１１には、プラグコネクタ２３１が装着される。
【００４５】
図７はプラグコネクタ２３１の斜視図を示す。
【００４６】
本実施例のプラグコネクタ２３１は、エレメント端子部材２４１、グランド端子部材２４２、樹脂部２４３から構成されている。
【００４７】
エレメント端子部材２４１は、金属板を略Ｕ字状に折曲した形状とされており、ケーブル１０２の信号線１７１が半田付けされる。グランド端子部材２４２は、金属板を略Ｕ字状に折曲した形状とされており、ケーブル１０２のシールド１７２が半田付けされる。
【００４８】
エレメント端子部材２４１及びグランド端子部材２４２は、樹脂部２４３により固定される。エレメント端子部材２４１の略Ｕ字の内周部にエレメント端子部２２１が挿入され、グランド端子部材２４２の略Ｕ字の内周部にグランド端子部２２２が挿入されるように
樹脂部２４３により固定される。プラグコネクタ２３１を接続部２１１に装着した際に、エレメント端子部材２４１にエレメント端子部２２１が装着され、グランド端子部材２４２にグランド端子部２２２が装着される。
【００４９】
〔第３実施例〕
図８は本発明の第３実施例の要部の構成図を示す。図８（Ａ）は平面図、図８（Ｂ）は斜視図を示している。また、同図中、図１と同一構成部分には同一符号を付し、その説明は省略する。
【００５０】
本実施例のアンテナ装置３００は、接続部３１１の構成が第１実施例とは相違する。
【００５１】
本実施例の接続部３１１は、エレメント端子部３２１、グランド端子部３２２、樹脂部３２３から構成されている。
【００５２】
エレメント端子部３２１は、図８（Ａ）に示すようにエレメント部材１１１の給電点から矢印Ｘ１方向に延出して形成されており、図８（Ｂ）に示すように破線Ｃで示す円の円周上で矢印Ｚ１方向に折曲される
グランド端子部３２２は、図８（Ａ）に示すようにグランド部材１１２のエレメント部材１１１に対向する辺の給電点を挟む位置に形成されている。グランド端子部３２２は、破線Ｃで示す円の中心方向に延出して形成されており、図８（Ｂ）に示すように破線Ｃで示す円の円周上で矢印Ｚ１方向に折曲される
図９はプラグコネクタ３３０の平面図を示す。
【００５３】
プラグコネクタ３３０は、エレメント端子部材３３１、グランド端子部材３３２、樹脂部３３３から構成されている。エレメント端子部材３３１は、樹脂部３３３の内部でケーブル１０２の信号線１７１に接続されている。グランド端子部材３３２は、樹脂部３３３の内部でケーブル１０２のシールド１７２に接続されている。
【００５４】
エレメント端子部材３３１とグランド端子部材３３２とは、樹脂部３３３により絶縁されている。
【００５５】
図９に示すようにエレメント端子部材３３１と樹脂部３３３との間にエレメント端子部３２１が圧入され、エレメント端子部３２１とエレメント端子部材３３１との接続が計られる。また、図９に示すようにグランド端子部材３３２と樹脂部３３３との間にグランド端子部３２２が圧入され、グランド端子部３２２とグランド端子部材３３２との接続が計られる。
【００５６】
〔第４実施例〕
図１０は本発明の第４実施例の斜視図、図１１は本発明の第４実施例の要部の構成図を示す。同図中、図１と同一構成部分には同一符号を付し、その説明は省略する。図１１（Ａ）は平面図、図１１（Ｂ）は斜視図を示す。
【００５７】
本実施例のアンテナ装置４００は、接続部４１１の構成が相違するとともに、エレメント部材１１１及びグランド部材１１２を樹脂部４１２により封止した構成とされている。
【００５８】
接続部４１１は、エレメント端子部４２１及びグランド端子部４２２から構成されている。
【００５９】
エレメント端子部４２１は、図１１に示すようにエレメント部材１１１の給電点から矢印Ｘ１方向に延出して打ち抜かれ、矢印Ｚ１方向に折曲される。
【００６０】
グランド端子部４２２は、図１１に示すようにグランド部材１１２のエレメント部材１１１に対向する辺の給電点を挟む位置に、矢印Ｘ２方向に延出して形成されており、からわずかに延出された後に、矢印Ｙ１方向又は矢印Ｙ２方向に延出するように打ち抜かれ、矢印Ｚ１方向に折曲される。
【００６１】
エレメント端子部４２１及びグランド端子部４２２は、図１０（Ａ）に示すように樹脂部４１２から矢印Ｚ１方向に延出している。アンテナ装置４００は、図１０（Ｂ）に示すようにエレメント端子部４２１、及び、グランド端子部４２２をプリント配線板４３１の矢印Ｚ２方向側の面からスルーホール４４１、４４２に挿入し、プリント配線板４３１の矢印Ｚ２方向側面に延出させ、半田付けすることにより、プリント配線板４３１に実装される。
【００６２】
〔第５実施例〕
図１２は本発明の第５実施例の斜視図、図１３は本発明の第５実施例の要部の構成図を示す。
【００６３】
本実施例のアンテナ装置５００は、エレメント部材５１１、エレメント端子部５１２、樹脂部５１３から構成されており、プリント配線板５２１に表面実装可能な構成とされている。
【００６４】
エレメント部材５１１は、リン青銅などの金属フープ材を一辺が数ｃｍ程度の略五角形状に打ち抜くことにより形成され、その給電点にはエレメント端子部５１２が一体に形成されている。エレメント端子部５１２は図１３（Ａ）に示すようにエレメント部材５１１の給電点から矢印Ｘ１方向に延出して形成され、図１３（Ｂ）に示すように側面形状がコ字状となるように折曲される。
【００６５】
樹脂部５１３は、エレメント部材５１１及びエレメント端子部５１２をエレメント端子部５１２の矢印Ｘ１方向の面、及び、矢印Ｚ２方向の面が外部に露出するように封止している。
【００６６】
プリント配線板５２１には、接地パターン５３１及びストリップライン５３２が形成されている。エレメント部材１１１は、接地パターン５３１に対して所定の角度θで配置され、プリント配線板５２１の接地パターン５３１とともに、ＵＷＢアンテナを構成している。
【００６７】
本実施例によれば、アンテナ装置を必要最小限の大きさに留めることができる。
【００６８】
〔第６実施例〕
図１４は本発明の第６実施例の斜視図、図１５は本発明の第６実施例の要部の構成図を示す。同図中、図１２、図１３と同一構成部分には、同一符号を付し、その説明は省略する。
【００６９】
本実施例のアンテナ装置６００は、エレメント部材６１１、グランド部材６１２、エレメント端子部６１３、グランド端子部６１４、樹脂部６１５から構成されており、プリント配線板６２１に表面実装可能な構成とされている。
【００７０】
エレメント部材６１１、及び、グランド部材６１２は、第１実施例のエレメント部材１１１、及び、グランド部材１１２と同じ形状であり、リン青銅などの金属フープ材を一辺が数ｃｍ程度の略五角形状に打ち抜くことにより形成され、その給電点にはエレメント端子部６１３が一体に形成されている。エレメント端子部６１３は図１５（Ａ）に示すようにエレメント部材６１１の給電点から矢印Ｘ１方向に延出して形成され、図１５（Ｂ）に示すように側面形状がコ字状となるように折曲されている。グランド端子部６１４は図１５（Ａ）に示すようにグランド部材６１２のエレメント部材６１１の給電点に対向する辺に給電点を挟む位置に矢印Ｘ２方向に延出して形成され、図１５（Ｂ）に示すように側面形状がコ字状となるように折曲されている。
【００７１】
樹脂部６１５は、エレメント部材６１１、及び、グランド部材６１２、並びに、エレメント端子部６１３、及び、グランド端子部６１４を、エレメント端子部６１３、及び、グランド端子部６１４の矢印Ｚ２方向の面が外部に露出するように封止している。
【００７２】
プリント配線板６２１には、アンテナ接続用ランド６３１が形成されている。アンテナ装置６００は、エレメント端子部６１３及びグランド端子部６１４の矢印Ｚ２方向の面をアンテナ接続用ランド６３１に半田付けすることによって、プリント配線板６２１に表面実装される。
【００７３】
なお、本実施例では、エレメント部材１１１とグランド部材１１２とを接続部１１３、２１１、３１１により固定しているが、全体を樹脂封止することにより、固定するようにしてもよい。全体を樹脂封止することにより、波長短縮効果によって全体の形状を小さくすることができる。
【００７４】
なお、本実施例のアンテナ装置では、アンテナエレメントとグランドとを区別し、グランドを接地する構成としたが、アンテナエレメント及びグランドに平衡給電を行う場合にはグランドは接地されることはなく、アンテナエレメント及びグランドはダイポールのようなアンテナ装置として機能する。
【００７５】
また、上記実施例では、ＵＷＢアンテナを例に説明を行ったが、これに限定されるものではなく、金属板から構成されるエレメント部材を有するアンテナ装置、一般に適用できる。
【００７６】
なお、本発明は上記実施例に限定されるものではなく、本発明の要旨を逸脱しない範囲において種々の変形例が考えられることは言うまでもない。
【図面の簡単な説明】
【００７７】
【図１】本発明の第１実施例の斜視図である。
【図２】アンテナ装置１００の製造工程のフローチャートである。
【図３】アンテナ装置１００の製造方法を説明するための図である。
【図４】プラグコネクタ１０１の斜視図である。
【図５】本発明の第２実施例の斜視図である。
【図６】アンテナ装置２００の製造方法を説明するための図である。
【図７】プラグコネクタ２３１の斜視図である。
【図８】本発明の第３実施例の要部の構成図である。
【図９】プラグコネクタ３３０の平面図である。
【図１０】本発明の第４実施例の斜視図である。
【図１１】本発明の第４実施例の要部の構成図である。
【図１２】本発明の第５実施例の斜視図である。
【図１３】本発明の第５実施例の要部の構成図である。
【図１４】本発明の第６実施例の斜視図である。
【図１５】本発明の第６実施例の要部の構成図である。
【符号の説明】
【００７８】
１００、２００、３００、４００、５００、６００  アンテナ装置
１０１、２３１、３３０  プラグコネクタ、１０２  ケーブル
１１１、５１１、６１１  エレメント部材、１１２、６１２  グランド部材
１１３、２１１、４１１  接続部
１２１、２２１、３２１、４２１、５１２、６１３  エレメント端子部
１３１、２２２、３２２、４２２、６１４  グランド端子部
１４１、２２３、３２３、５１３、６１５  樹脂部
１５１  サン、１５２  フレーム
１６１、２４１、３３１  エレメント端子部材
１６２、２４２、３３２  グランド端子部材
１６３、２４３、３３３  樹脂部
１７１  信号線、１７２  シールド
４３１、５２１、６２１  プリント配線板
４４１、４４２  スルーホール
５３１  接地パターン、５３２  信号線
６３１  アンテナ接続用ランド
【図１】
2008079140.tif 000003
【図２】
2008079140.tif 000004
【図３】
2008079140.tif 000005
【図４】
2008079140.tif 000006
【図５】
2008079140.tif 000007
【図６】
2008079140.tif 000008
【図７】
2008079140.tif 000009
【図８】
2008079140.tif 000010
【図９】
2008079140.tif 000011
【図１０】
2008079140.tif 000012
【図１１】
2008079140.tif 000013
【図１２】
2008079140.tif 000014
【図１３】
2008079140.tif 000015
【図１４】
2008079140.tif 000016
【図１５】
2008079140.tif 000017